【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
第二のデバイスと無線の指向性の通信を行う第一のデバイスを有する装置であって、該無線の指向性の通信は：
第三のデバイスからネットワークの予約を検出することに応じてNAV（network  allocation  vector）をセットし；
前記NAVにより示される期間に前記第二のデバイスからRTS（request-to-send）を受信し；
前記第二のデバイスに対して前記NAVの満了前にDTS（denial-to-send）を送信するか、あるいは前記NAVの満了後にD-CTS（遅延clear-to-send）を送信し；
前記NAVの満了後に前記第二のデバイスと通信を実行し、該通信は、前記送信の後に前記第二のデバイスからの前記RTSにより示された期間に実行される；
装置。
【請求項２】
前記送信はDTSの送信を含み、
前記第一のデバイスは、前記NAVの満了後に前記第二のデバイスから第二のRTSを受信し、該第二のRTSの受信後であって、かつ前記通信の実行前にCTS（clear-to-send）を送信する、
請求項１に記載の装置。
【請求項３】
前記DTSは前記NAVの残り時間を示すフレーム制御メッセージを有する、
請求項１に記載の装置。
【請求項４】
前記ネットワークの予約は、前記第三のデバイスにより送信され、かつ前記第一のデバイスに宛てられていないRTS又はCTSを有する、
請求項１に記載の装置。
【請求項５】
少なくとも一つのアンテナ
をさらに有する、請求項１に記載の装置。
【請求項６】
第一のデバイスで処理を実行することにより第二のデバイスと無線で通信する段階を有する方法であって、該処理は：
第三のデバイスからのRTS（request-to-send）の検出又は該第三のデバイスからのCTS（clear-to-send）の検出に応じてNAV（network  allocation  vector）をセットする段階と；
前記NAVにより示される期間に前記第二のデバイスからRTS（request-to-send）を受信する段階と；
前記第二のデバイスに対して前記NAVの満了前に前記RTSの受信に応じてDTS（denial-to-send）を送信する段階と；
前記NAVの満了後に前記第二のデバイスと通信を行う段階と；
を有し、
前記受信する段階と、前記送信する段階と、前記通信を行う段階はそれぞれ指向性のリンクを用いることを含む、
方法。
【請求項７】
第二のRTSを前記第二のデバイスから前記NAVの満了後に受信する段階と；
CTS（clear-to-send）を前記第二のRTSの受信後であって、かつ前記通信を行う段階の前に送信する段階と；
をさらに有する、請求項６に記載の方法。
【請求項８】
前記DTSは、前記NAVの残り時間を示す期間フィールドを有する、
請求項６に記載の方法。
【請求項９】
一つ以上のプロセッサにより実行される場合に：
第三のデバイスからのRTS（request-to-send）の検出又は該第三のデバイスからのCTS（clear-to-send）の検出に応じてNAV（network  allocation  vector）をセットする段階と；
前記NAVにより示される期間に前記第二のデバイスからRTS（request-to-send）を受信する段階と；
前記第二のデバイスに対して前記NAVの満了前にDTS（denial-to-send）を送信する段階と；
前記NAVの満了後に前記第二のデバイスと通信を行う段階と；
を有する処理であって、
前記受信する段階と、前記送信する段階と、前記通信を行う段階はそれぞれ指向性のリンクを通じて行われる、処理
を実行する命令を含むコンピュータ読み取り可能な記録媒体を有する物品。
【請求項１０】
他のRTSを前記第二のデバイスから前記NAVの満了後に受信する段階と；
CTS（clear-to-send）を前記第二のRTSの受信後であって、かつ前記通信を行う段階の前に送信する段階と；
をさらに有する、請求項９に記載の物品。
【請求項１１】
前記DTSは、前記NAVの残り時間を示すフレーム制御メッセージを有する、
請求項９に記載の物品。
【請求項１２】
無線機、プロセッサ及びメモリを有する第一のデバイスであって、第二のデバイスと指向性のリンクを通じて無線の指向性の通信を行う、第一のデバイスを有する装置であって、該無線の指向性の通信は：
RTS（request-to-send）を前記第二のデバイスへ送信し；
DTS（denial-to-send）を前記第二のデバイスから受信し、該DTSは該第二のデバイスでセットされたNAV（network  allocation  vector）の残り時間を示す期間の値を含み；
前記NAVの満了後にのみ前記第二のデバイスと後続の通信を行う；
装置。
【請求項１３】
少なくとも一つのアンテナ
をさらに有する、請求項１２に記載の装置。
【請求項１４】
第一のデバイスで処理を実行することにより第二のデバイスと無線で通信する段階を有する方法であって、該通信は：
RTS（request-to-send）を前記第二のデバイスへ送信する段階と；
DTS（denial-to-send）を前記第二のデバイスから受信する段階と；
前記DTSの中で示された期間の満了後にのみ前記第二のデバイスと後続の通信を行う段階と；
を有し、
前記送信する段階と、前記受信する段階と、前記通信を行う段階はそれぞれ指向性のリンクを用いることを含む、方法。
【請求項１５】
第二のRTSを前記第二のデバイスへ前記期間の満了後に送信する段階と；
前記第二のデバイスからのCTS（clear-to-send）を前記第二のRTSの送信後であって、かつ前記後続の通信を行う段階の前に受信する段階と；
をさらに有する、請求項１４に記載の方法。
【請求項１６】
前記DTSはフレーム制御メッセージを有する、
請求項１４に記載の方法。
【請求項１７】
一つ以上のプロセッサにより実行される場合に：
RTS（request-to-send）を無線通信装置に送信する段階と；
DTS（denial-to-send）を前記無線通信装置から受信する段階と；
前記DTSの中で示された期間の満了後にのみ前記無線通信装置と後続の通信を行う段階と；
を有する処理を実行する命令を含むコンピュータ読み取り可能な記録媒体を有する物品。
【請求項１８】
前記処理は：
第二のRTSを前記無線通信装置へ前記期間の満了後に送信する段階と；
CTS（clear-to-send）を前記無線通信装置から前記第二のRTSを送信した後に受信する段階と；
をさらに有する、請求項１７に記載の物品。
【請求項１９】
前記DTSはフレーム制御メッセージを含む、
請求項１７に記載の物品。
【請求項２０】
前記DTSは、フレーム制御フィールド、期間フィールド、RAフィールド、NAV-SAフィールド、NAV-DAフィールド及びFCSフィールドを含む、
請求項１に記載の装置。
【請求項２１】
前記DTSは、フレーム制御フィールド、期間フィールド、RAフィールド、NAV-SAフィールド、NAV-DAフィールド及びFCSフィールドを含む、
請求項６に記載の方法。
【請求項２２】
前記DTSは、フレーム制御フィールド、期間フィールド、RAフィールド、NAV-SAフィールド、NAV-DAフィールド及びFCSフィールドを含む、
請求項９に記載の物品。
【請求項２３】
前記DTSは、フレーム制御フィールド、期間フィールド、RAフィールド、NAV-SAフィールド、NAV-DAフィールド及びFCSフィールドを含む、
請求項１２に記載の装置。
【請求項２４】
前記DTSは、フレーム制御フィールド、期間フィールド、RAフィールド、NAV-SAフィールド、NAV-DAフィールド及びFCSフィールドを含む、
請求項１４に記載の方法。
【請求項２５】
前記DTSは、フレーム制御フィールド、期間フィールド、RAフィールド、NAV-SAフィールド、NAV-DAフィールド及びFCSフィールドを含む、
請求項１７に記載の物品。